(57)【要約】【課題】  車両の広告スペースである上部湾曲部に平面を維持したまま広告表示部を取り付けることができる広告掲示具を提供する。【解決手段】  車両本体１の上部湾曲部２に形成された広告スペース３に取り付けられる広告掲示具であって、基板１２と広告表示部２０とからなる。基板１２は、車両本体１に設けられた広告物挟持バンド５，５によって左右両側が保持され、上部湾曲部２に沿って湾曲して広告スペース３に取り付けられる。広告表示部２０は、広告スペース３に湾曲して取り付けられた基板１２の上下両側に取り付けられるようになっている。【選択図】図５
2015099250.tif 000002
【特許請求の範囲】
【請求項１】
車両本体の上部湾曲部に形成された広告スペースに取り付けられる広告掲示具であって、基板と広告表示部とからなり、
基板は、車両本体に設けられた広告物挟持バンドによって左右両側が保持され、上部湾曲部に沿って湾曲して広告スペースに取り付けられ、
広告表示部は、広告スペースに湾曲して取り付けられた基板の上下両側に取り付けられるようになっていることを特徴とする広告掲示具。
【請求項２】
車両本体の上部湾曲部に形成された広告スペースに取り付けられる広告掲示具であって、基板と広告表示部とからなり、
基板は、車両本体に設けられた広告物係止具によって上下両側が保持され、上部湾曲部に沿って湾曲して広告スペースに取り付けられ、
広告表示部は、広告スペースに湾曲して取り付けられた基板の上下両側に取り付けられるようになっていることを特徴とする広告掲示具。
【請求項３】
基板の上下には、屈曲可能に連結片が設けられており、連結片には、広告表示部の印刷面と反対の裏面を接続する接続部材が設けられていることを特徴とする請求項１又は２記載の広告掲示具。
【請求項４】
車両本体の上部湾曲部に形成された広告スペースに取り付けられる広告掲示具であって、基板と、基板と一体の広告表示部とからなり、
基板は、車両本体に設けられた広告物挟持バンドによって左右両側が保持され、上部湾曲部に沿って湾曲して広告スペースに取り付けられ、
広告表示部は、広告スペースに湾曲して取り付けられる基板の上端又は下端に一端が連接され、他端側が基板の下端側又は上端側に取り付けられるようになっていることを特徴とする広告掲示具。
【請求項５】
車両本体の上部湾曲部に形成された広告スペースに取り付けられる広告掲示具であって、基板と、基板と一体の広告表示部とからなり、
基板は、車両本体に設けられた広告物係止具によって上下両側が保持され、上部湾曲部に沿って湾曲して広告スペースに取り付けられ、
広告表示部は、広告スペースに湾曲して取り付けられる基板の上端又は下端に一端が連接され、他端側が基板の下端側又は上端側に取り付けられるようになっていることを特徴とする広告掲示具。
【請求項６】
基板の下端又は上端には、屈曲可能に連結片が設けられており、連結片には、広告表示部の印刷面と反対の裏面を接続する接続部材が設けられていることを特徴とする請求項４又は５記載の広告掲示具。
【請求項７】
接続部材が接着テープであることを特徴とする請求項３又は６記載の広告掲示具。
【請求項８】
接続部材が面ファスナーであって、広告表示部の裏面に設けられた面ファスナーを接続することを特徴とする請求項３又は６記載の広告掲示具。
【請求項９】
広告表示部には、透孔が形成され、透孔を介して基板に形成された印刷面を視認することができることを特徴とする請求項１乃至８のいずれか１項に記載の広告掲示具。
【発明の詳細な説明】
【技術分野】
【０００１】
本発明は、電車、バス等の車両の上部に形成された上部湾曲部の広告スペースに取り付けられる広告掲示具に関する。
【背景技術】
【０００２】
従来、電車、バス等の車両本体の上部には、天井壁と側壁を接続する上部湾曲部が形成されている。この上部湾曲部は、広告を取り付ける広告スペースとして利用されている。窓上の上部湾曲部に取り付けられるポスターは、まど上ポスターと呼ばれている。ドア上の上部湾曲部に取り付けられるポスターは、ドア上ポスターと呼ばれている。これらのポスターは、企業広告等に広く利用される（例えば、特許文献１）。このまど上ポスター又はドア上ポスターは、例えばコート紙等の薄いシートで形成され、左右両側が車両本体に備えられている透明アクリルバンドによって固定される場合と（例えば、特許文献２）、上下両側が車両本体に備えられている広告物係止具によって固定される場合（例えば、特許文献１）があり、上部湾曲部に沿って湾曲して配置される。
【先行技術文献】
【特許文献】
【０００３】
【特許文献１】特開平８−３０５３１０号公報
【特許文献２】実用新案登録第３０７９２８９号公報
【発明の概要】
【発明が解決しようとする課題】
【０００４】
上記したように、まど上ポスター及びドア上ポスターは、広告スペースに湾曲して取り付けられるため、印刷画像及び印刷文字が撓んで（歪んで）又は傾いて見えることになり、見難く、読み取り難いので、広告機能を損なう場合があるという問題点があった。また、真ん中部が奥になり上部及び下部が手前になるので、アピールしたい重要部分を見損なうことがあるという問題点もあった。
【０００５】
本願発明は、上記問題点に鑑み案出したものであって、車両の広告スペースである上部湾曲部に平面を維持したままシート状又はボード状の広告表示部を取り付けることができる広告掲示具を提供することを目的とする。
【課題を解決するための手段】
【０００６】
本願請求項１記載の広告掲示具は、上記目的を達成するため、車両本体の上部湾曲部に形成された広告スペースに取り付けられる広告掲示具であって、基板と広告表示部とからなり、基板は、車両本体に設けられた広告物挟持バンドによって左右両側が保持され、上部湾曲部に沿って湾曲して広告スペースに取り付けられ、広告表示部は、広告スペースに湾曲して取り付けられた基板の上下両側に取り付けられるようになっていることを特徴とする。
【０００７】
本願請求項２記載の広告掲示具は、上記目的を達成するため、車両本体の上部湾曲部に形成された広告スペースに取り付けられる広告掲示具であって、基板と広告表示部とからなり、基板は、車両本体に設けられた広告物係止具によって上下両側が保持され、上部湾曲部に沿って湾曲して広告スペースに取り付けられ、広告表示部は、広告スペースに湾曲して取り付けられた基板の上下両側に取り付けられるようになっていることを特徴とする。
【０００８】
本願請求項３記載の広告掲示具は、上記目的を達成するため、基板の上下には、屈曲可能に連結片が設けられており、連結片には、広告表示部の印刷面と反対の裏面を接続する接続部材が設けられていることを特徴とする。
【０００９】
本願請求項４記載の広告掲示具は、上記目的を達成するため、車両本体の上部湾曲部に形成された広告スペースに取り付けられる広告掲示具であって、基板と、基板と一体の広告表示部とからなり、基板は、車両本体に設けられた広告物挟持バンドによって左右両側が保持され、上部湾曲部に沿って湾曲して広告スペースに取り付けられ、広告表示部は、広告スペースに湾曲して取り付けられる基板の上端又は下端に一端が連接され、他端側が基板の下端側又は上端側に取り付けられるようになっていることを特徴とする。
【００１０】
本願請求項５記載の広告掲示具は、上記目的を達成するため、車両本体の上部湾曲部に形成された広告スペースに取り付けられる広告掲示具であって、基板と、基板と一体の広告表示部とからなり、基板は、車両本体に設けられた広告物係止具によって上下両側が保持され、上部湾曲部に沿って湾曲して広告スペースに取り付けられ、広告表示部は、広告スペースに湾曲して取り付けられる基板の上端又は下端に一端が連接され、他端側が基板の下端側又は上端側に取り付けられるようになっていることを特徴とする。
【００１１】
本願請求項６記載の広告掲示具は、上記目的を達成するため、基板の下端又は上端には、屈曲可能に連結片が設けられており、連結片には、広告表示部の印刷面と反対の裏面を接続する接続部材が設けられていることを特徴とする。
【００１２】
本願請求項７記載の広告掲示具は、上記目的を達成するため、接続部材が接着テープであることを特徴とする。
【００１３】
本願請求項８記載の広告掲示具は、上記目的を達成するため、接続部材が面ファスナーであって、広告表示部の裏面に設けられた面ファスナーを接続することを特徴とする。
【００１４】
本願請求項９記載の広告掲示具は、上記目的を達成するため、広告表示部には、透孔が形成され、透孔を介して基板に形成された印刷面を視認することができることを特徴とする。
【発明の効果】
【００１５】
本願発明に係る広告掲示具は、車両本体の上部湾曲部に形成された広告スペースに取り付けられる広告掲示具であって、基板と広告表示部とからなり、基板は、車両本体に設けられた広告物挟持バンドによって左右両側が保持され、上部湾曲部に沿って湾曲して広告スペースに取り付けられ、広告表示部は、広告スペースに湾曲して取り付けられた基板の上下両側に取り付けられるようになっている。
【００１６】
本願発明に係る広告掲示具は、車両本体の上部湾曲部に形成された広告スペースに基板を車両本体に設けられた広告物挟持バンドを介して取り付けると、基板が上部湾曲部に沿って湾曲する。基板は、車両本体に設けられた広告物挟持バンドによって左右両側が保持されるが、上下両側が自由状態となっており、広告表示部の取付部を形成することができる。広告表示部は、湾曲した基板の上下両側に取り付けられるので、平面を保ったまま車両本体の上部湾曲部に配置することができる。このように、本願発明に係る広告掲示具は、車両本体の広告スペースである上部湾曲部に広告表示部を湾曲せずに平面を保ったまま取り付けることができるという効果がある。
【００１７】
本願発明に係る広告掲示具は、車両本体の上部湾曲部に形成された広告スペースに取り付けられる広告掲示具であって、基板と広告表示部とからなり、基板は、車両本体に設けられた広告物係止具によって上下両側が保持され、上部湾曲部に沿って湾曲して広告スペースに取り付けられ、広告表示部は、広告スペースに湾曲して取り付けられた基板の上下両側に取り付けられるようになっている。
【００１８】
本願発明に係る広告掲示具は、車両本体の上部湾曲部に形成された広告スペースに基板を車両本体に設けられた広告物係止具を介して取り付けると、基板が上部湾曲部に沿って湾曲する。基板は、車両本体に設けられた広告物係止具によって上下両側が保持される。広告表示部は、湾曲した基板の上下両側に取り付けられるので、平面を保ったまま車両本体の上部湾曲部に配置することができる。このように、本願発明に係る広告掲示具は、車両本体の広告スペースである上部湾曲部に広告表示部を湾曲せずに平面を保ったまま取り付けることができるという効果がある。
【００１９】
本願発明に係る広告掲示具は、上記効果に加え、基板の上下に、屈曲可能に連結片が設けられており、連結片には、広告表示部の印刷面と反対の裏面を接続する接続部材が設けられているので、広告表示部を基板に簡単に取り付けることができるという効果がある。
【００２０】
本願発明に係る広告掲示具は、車両本体の上部湾曲部に形成された広告スペースに取り付けられる広告掲示具であって、基板と、基板と一体の広告表示部とからなり、基板は、車両本体に設けられた広告物挟持バンドによって左右両側が保持され、上部湾曲部に沿って湾曲して広告スペースに取り付けられ、広告表示部は、広告スペースに湾曲して取り付けられる基板の上端又は下端に一端が連接され、他端側が基板の下端側又は上端側に取り付けられるようになっている。
【００２１】
本願発明に係る広告掲示具は、車両本体の上部湾曲部に形成された広告スペースに基板を車両本体に設けられた広告物挟持バンドを介して取り付けると、基板が上部湾曲部に沿って湾曲する。基板は、車両本体に設けられた広告物挟持バンドによって左右両側が保持される。広告表示部は、他端が湾曲した基板の下端側又は上端側に取り付けられるので、平面を保ったまま車両本体の上部湾曲部に配置することができる。このように、本願発明に係る広告掲示具は、車両本体の広告スペースである上部湾曲部に広告表示部を湾曲せずに平面を保ったまま取り付けることができるという効果がある。
【００２２】
本願発明に係る広告掲示具は、車両本体の上部湾曲部に形成された広告スペースに取り付けられる広告掲示具であって、基板と、基板と一体の広告表示部とからなり、基板は、車両本体に設けられた広告物係止具によって上下両側が保持され、上部湾曲部に沿って湾曲して広告スペースに取り付けられ、広告表示部は、広告スペースに湾曲して取り付けられる基板の上端又は下端に一端が連接され、他端側が基板の下端側又は上端側に取り付けられるようになっている。
【００２３】
本願発明に係る広告掲示具は、車両本体の上部湾曲部に形成された広告スペースに基板を車両本体に設けられた広告物係止具を介して取り付けると、基板が上部湾曲部に沿って湾曲する。基板は、車両本体に設けられた広告物係止具によって上下両側が保持される。広告表示部は、他端が湾曲した基板の下端側又は上端側に取り付けられるので、平面を保ったまま車両本体の上部湾曲部に配置することができる。このように、本願発明に係る広告掲示具は、車両本体の広告スペースである上部湾曲部に広告表示部を湾曲せずに平面を保ったまま取り付けることができるという効果がある。
【００２４】
本願発明に係る広告掲示具は、上記効果に加え、基板の下端又は上端には、屈曲可能に連結片が設けられており、連結片には、広告表示部の印刷面と反対の裏面を接続する接続部材が設けられているので、広告表示部を基板に簡単に取り付けることができるという効果がある。
【００２５】
本願発明に係る広告掲示具は、上記効果に加え、接続部材が接着テープであるので、安価に形成することができるという効果がある。また、接続部材が面ファスナーであって、広告表示部の裏面に設けられた面ファスナーを接続するので、基板に対する広告表示部の着脱を容易にすることができるという効果がある。
【００２６】
本願発明に係る広告掲示具は、上記効果に加え、広告表示部に透孔が形成され、透孔を介して基板に形成された印刷面を視認することができるので、広告表示部に遠近等の立体感を加えることができ、従来にない立体的な広告表示部を提供することができるという効果がある。
【図面の簡単な説明】
【００２７】
【図１】本願発明に係る広告掲示具の一実施例を示す斜視図である。
【図２】図１の広告掲示具の分解斜視図である。
【図３】図１の基板の展開図である。
【図４】本願発明に係る広告掲示具の他の実施例を示す斜視図である。
【図５】図１の広告掲示具を車両の上部広告スペースに広告物挟持バンドで取り付ける状態を説明する斜視図である。
【図６】図１の広告掲示具を車両の上部広告スペースに広告物挟持バンドで取り付けた状態を示す斜視図である。
【図７】図１の広告掲示具を車両の上部広告スペースに連続して取り付けた状態を説明する斜視図である。
【図８】本願発明に係る広告掲示具を車両本体に実際に取り付けた状態を示す斜視図である。
【図９】本願発明に係る広告掲示具の他の実施例を示す分解斜視図である。
【図１０】図９の広告掲示具の斜視図である。
【図１１】本願発明に係る広告掲示具の他の実施例を示す分解斜視図である。
【図１２】図１１の広告掲示具の斜視図である。
【図１３】本願発明に係る広告掲示具の他の実施例を示す分解斜視図である。
【図１４】図１１及び図１３の広告掲示具を車両の上部広告スペースに広告物係止具で取り付けた状態を説明する斜視図である。
【発明を実施するための形態】
【００２８】
広告掲示具１１は、図６に示すように、車両本体１の上部湾曲部２に形成された広告スペース３に取り付けられる。広告掲示具１１は、図２に示すように、基板１２と広告表示部２０とからなる。基板１２は、図５に示すように、車両本体１に設けられた広告物挟持バンド５，５によって左右両側が保持され、上部湾曲部２に沿って湾曲して広告スペース３に取り付けられる。広告表示部２０は、図６に示すように、広告スペース３に湾曲して取り付けられた基板１２の上下両側に取り付けられる。
【００２９】
図５に示すように、広告掲示具１１は、車両本体１の上部湾曲部２に形成された広告スペース３に基板１２を車両本体１に設けられた広告物挟持バンド５，５を介して取り付けると、基板１２が上部湾曲部２に沿って湾曲する。基板１２は、車両本体１に設けられた広告物挟持バンド５，５によって左右両側が保持されるが、上下両側が自由状態となっており、広告表示部２０の取付部を形成することができる。広告表示部２０は、湾曲した基板１２の上下両側に取り付けられるので、図６に示すように、平面を保ったまま車両本体１の上部湾曲部２に配置することができる。このように、広告掲示具１１は、車両本体１の広告スペース３である上部湾曲部２０に広告表示部２０を湾曲せずに平面を保ったまま取り付けることができる。
【００３０】
広告掲示具５１は、図１４に示すように、車両本体１の上部湾曲部２に形成された広告スペース３に取り付けられる。広告掲示具５１は、基板５２と広告表示部２０とからなる。基板５２は、車両本体１に設けられた広告物係止具６，６によって上下両側が保持され、上部湾曲部２に沿って湾曲して広告スペース３に取り付けられる。広告表示部２０は、広告スペース３に湾曲して取り付けられた基板５２の上下両側に取り付けられるようになっている。
【００３１】
広告掲示具５１は、車両本体１の上部湾曲部２に形成された広告スペース３に基板５２を車両本体１に設けられた広告物係止具６，６を介して取り付けると、基板５２が上部湾曲部２に沿って湾曲する。基板５２は、車両本体１に設けられた広告物係止具６，６によって上下両側が保持される。広告表示部２０は、湾曲した基板５２の上下両側に取り付けられるので、平面を保ったまま車両本体１の上部湾曲部２に配置することができる。このように、広告掲示具５１は、車両本体１の広告スペース３である上部湾曲部２に広告表示部２０を湾曲せずに平面を保ったまま取り付けることができる。
【００３２】
図２，１１に示すように、広告掲示具１１，５１は、基板１２，５２の上下に、屈曲可能に連結片１３，１４、５３，５４が設けられている。連結片１３，１４、５３，５４には、広告表示部２０の印刷面２１と反対の裏面２２を接続する接続部材１６が設けられているので、広告表示部２０を基板１２，５２に簡単に取り付けることができる。
【００３３】
図９，１０に示すように、広告掲示具３１は、車両本体１の上部湾曲部２に形成された広告スペース３に取り付けられる。広告掲示具３１は、基板３２と、基板３２と一体の広告表示部４０とからなる。基板３２は、車両本体１に設けられた広告物挟持バンド５，５によって左右両側が保持され、上部湾曲部２に沿って湾曲して広告スペース３に取り付けられる。広告表示部４０は、広告スペース３に湾曲して取り付けられる基板３２の上端又は下端に一端が連接され、他端側が基板３２の下端側又は上端側に取り付けられるようになっている。
【００３４】
広告掲示具３１は、車両本体１の上部湾曲部２に形成された広告スペース３に基板３２を車両本体１に設けられた広告物挟持バンド５，５を介して取り付けると、基板３２が上部湾曲部２に沿って湾曲する。基板３２は、車両本体１に設けられた広告物挟持バンド５，５によって左右両側が保持される。広告表示部４０は、他端が湾曲した基板３２の下端側又は上端側に取り付けられるので、平面を保ったまま車両本体１の上部湾曲部２に配置することができる。このように、広告掲示具３１は、車両本体１の広告スペース３である上部湾曲部２に広告表示部４０を湾曲せずに平面を保ったまま取り付けることができる。
【００３５】
図１３，１４に示すように、広告掲示具６１は、車両本体１の上部湾曲部２に形成された広告スペース３に取り付けられる。広告掲示具６１は、基板６２と、基板６２と一体の広告表示部７０とからなる。基板６２は、車両本体１に設けられた広告物係止具６，６によって上下両側が保持され、上部湾曲部２に沿って湾曲して広告スペース３に取り付けられる。広告表示部７０は、広告スペース３に湾曲して取り付けられる基板６２の上端又は下端に一端が連接され、他端側が基板６２の下端側又は上端側に取り付けられるようになっている。
【００３６】
広告掲示具６１は、車両本体１の上部湾曲部２に形成された広告スペース３に基板６２を車両本体１に設けられた広告物係止具６，６を介して取り付けると、基板６２が上部湾曲部２に沿って湾曲する。基板６２は、車両本体１に設けられた広告物係止具６，６によって上下両側が保持される。広告表示部７０は、他端が湾曲した基板６２の下端側又は上端側に取り付けられるので、平面を保ったまま車両本体１の上部湾曲部２に配置することができる。このように、広告掲示具６１は、車両本体１の広告スペース３である上部湾曲部２に広告表示部７０を湾曲せずに平面を保ったまま取り付けることができる。
【００３７】
図９に示すように、広告掲示具３１，６１は、基板３２，６２の下端又は上端に、屈曲可能に連結片３３，６３が設けられている。連結片３３，６３には、広告表示部４０，７０の印刷面と反対の裏面を接続する接続部材１６が設けられているので、広告表示部４０，７０を基板３２，６２に簡単に取り付けることができる。
【００３８】
広告掲示具１１，３１，５１，６１は、接続部材１６が接着テープであると、安価に形成することができる。また、広告掲示具１１，３１，５１，６１は、接続部材１６が面ファスナーであって、広告表示部２０、４０，７０の裏面に設けられた面ファスナ２４ーを接続するので、基板１２，３２，５２，６２に対する広告表示部２０，４０，７０の着脱を容易にすることができる。
【００３９】
広告掲示具１１は、図４に示すように、広告表示部２０に透孔２５が形成され、透孔２５を介して基板１２に形成された印刷面１８を視認することができるので、広告表示部２０に遠近等の立体感を加えることができ、従来にない立体的な広告表示部を提供することができる。
【００４０】
さらに、広告掲示具について詳細に説明する。図１，２に示すように、広告掲示具１１は、基板１２と、基板１２の上下両側に取り付けられる広告表示部（ポスター）２０とからなる。基板１２は、図５に示すように、車両本体１の上部湾曲部２に形成された広告スペース３に取り付けられるまど上ポスターと略同じＢ３程度の大きさで形成されている。基板１２は、車両本体１の上部湾曲部２に形成された広告スペース３に湾曲させ、左右両側を車両本体１に設けられた広告物挟持バンド５，５によって取り付けられる程度の強度と可撓性を備えていればよく、厚紙、合成樹脂シート、薄い金属板等によって形成される。なお、基板１２は、軽量化を図るため、内側を切り取り、外側の枠だけで構成しても構わない。
【００４１】
図３に示すように、基板１２の上縁１２ａ及び下縁１２ｂには、屈曲可能に連結片１３，１４が設けられている。連結片１３，１４は、基板１２と一体で形成されているが、別体で形成して基板１２に接続しても構わない。基板１２は、裏面１２ｄを車両本体１の上部湾曲部２に当接させ、上縁１２ａ及び下縁１２ｂが内側（表面１２ｃ側）に撓むようになっている。連結片１３，１４は、図２に示すように、内側（基板１２の表面１２ｃ側）に折り返されるようになっており、折り返された表面１３ａ，１４ａに接続部材１６が設けられている。接続部材１６は、接着剤で構わないが、両面テープ、面ファスナー等の種々のものがあり、用途に合わせて変更することができる。広告表示部２０は、一般的なコート紙で形成され、表面２１に広告内容が印刷されている。なお、広告表示部２０は、平面状態で取り付けられるので、厚紙、合成樹脂シート、薄い金属板等で形成されても良い。
【００４２】
次に、広告掲示具１１の取付方について説明する。図２に示すように、基板１２は、連結片１３，１４を内側に折り返しておき、接続部材１６を基板１２の表面１２ｃ側に位置させておく。基板１２は、図５に示すように、これの裏面１２ｄを車両本体１の上部湾曲部２に当接させ、左右両側を車両本体１に設けられた広告物挟持バンド５，５で挟み込んで、車両本体１の広告スペース３に取り付ける。基板１２は、広告物挟持バンド５，５によって左右両側が保持され、上部湾曲部２に沿って中央が凹むように湾曲して取り付けられる。
【００４３】
広告表示部２０は、裏面２２を基板１２の上下両側に設けられた接続部材１６に接続させて、湾曲することなく平面が維持されたまま基板１２に取り付けられる。接続部材１６が接着剤、両面テープであると、広告表示部２０を基板１２から取り外すことが困難であるが、面ファスナーであると、広告表示部２０を基板１２から簡単に取り外すことができる。なお、面ファスナーは、接続するのに一対が必要となるので、広告表示部２０の裏面２２にも基板１２の面ファスナー１６と接合する面ファスナー２４を取り付けておく。接続部材１６を面ファスナーにすることで、広告表示部２０が基板１２から容易に着脱することができ、取付位置を微調節することができる。また、基板１２が金属シートである場合には、ネジ止めで広告表示部２０を基板１２に固定しても構わない。
【００４４】
広告表示部２０は、裏面２２が基板１２に取り付けられ、図６に示すように、広告スペース３から乗客側に飛び出している感じを与えるので、インパクトがあり、しかも平面なので見易く読み易くなっている。また、図７に示すように、広告表示部２０同士の左右両端を接した状態で横一列に並べることができ、広告物挟持バンド５等の阻害物も存在しないので、非常に大きな広告面を形成することでき、非常に興趣あるものにすることができる。また、図４に示すように、広告表示部２０に略口の字状の切り取りによる開き窓２５を形成しておき、開き窓２５から基板１２の表面１２ｃに印刷された印刷部１８を見えるようにし、立体的な視覚効果のある広告表示部２０にすることもできる。
【００４５】
上記実施の形態の広告掲示具１１は、基板１２と広告表示部（ポスター）２０を別体で構成し、基板１２の上下に接続部材１６を介して広告表示部（ポスター）２０を取り付けた。しかし、図９，１０に示すように、基板３２と広告表示部（ポスター）４０を上端（又は下端）で連接させるようにして一枚でシートで構成して広告掲示具３１を形成しても構わない。係る場合、基板３２と広告表示部（ポスター）４０は、コート紙等の同一素材で形成されるので、安価に製造できる。基板３２の広告表示部４０を連続していない側の端部（下側又は上側）は、広告表示部４０を固定していないので、前記実施の形態のように、接続部材１６を取り付けた連結片３３を設けておけば良い。
【００４６】
さらに、図１４に示すように、車両本体１に設けられた広告物係止具６，６に取り付けられる広告掲示具５１について詳細に説明する。図１１，１２に示すように、広告掲示具５１は、基板５２と、基板５２の上下両側に取り付けられる広告表示部（ポスター）２０とからなる。基板５２は、車両本体１の上部湾曲部２に形成された広告スペース３に取り付けられるまど上ポスターと略同じＢ３程度の大きさで形成されている。基板５２は、車両本体１の上部湾曲部２に形成された広告スペース３に湾曲させ、図１４に示すように、上下両側（上縁５２ａ及び下縁５２ｂ）を車両本体１に設けられた広告物係止具６，６によって取り付けられる程度の強度と可撓性を備えていればよく、厚紙、合成樹脂シート、薄い金属板等によって形成される。
【００４７】
図１１に示すように、基板５２の上縁５２ａ及び下縁５２ｂには、屈曲可能に連結片５３，５４が設けられている。連結片５３，５４は、内側（基板５２の表面５２ｃ側）に折り返されるようになっており、折り返された表面５３ａ，５４ａに接続部材１６が設けられている。広告表示部２０は、上述した通りである。
【００４８】
広告掲示具５１は、図１１に示すように、基板５２の連結片５３，５４を内側に折り返しておき、接続部材１６を基板５２の表面５２ｃ側に位置させておく。基板５２は、図１４に示すように、これの裏面５２ｄを車両本体１の上部湾曲部２に当接させ、上下両側（上縁５２ａ及び下縁５２ｂ）を車両本体１の広告物係止具６，６に係止させて、車両本体１の広告スペース３に取り付ける。基板５２は、広告物係止具６，６によって上下両側（上縁５２ａ及び下縁５２ｂ）が保持され、上部湾曲部２に沿って中央が凹むように湾曲して取り付けられる。
【００４９】
広告表示部２０は、裏面２２を基板５２の上下両側に設けられた接続部材１６に接続させて、湾曲することなく平面が維持されたまま基板５２に取り付けられる。接続部材１６が接着剤、両面テープであると、広告表示部２０を基板５２から取り外すことが困難であるが、面ファスナーであると、広告表示部２０を基板５２から簡単に取り外すことができる。なお、面ファスナーは、接続するのに一対が必要となるので、広告表示部２０の裏面２２にも基板５２の面ファスナー１６と接合する面ファスナー２４を取り付けておく。接続部材１６を面ファスナーにすることで、広告表示部２０が基板５２から容易に着脱することができ、取付位置を微調節することができる。
【００５０】
広告表示部２０は、裏面２２が基板５２に取り付けられ、広告スペース３から乗客側に飛び出している感じを与えるので、インパクトがあり、しかも平面なので見易く読み易くなっている。また、広告表示部２０同士の左右両端を接した状態で横一列に並べることができ、非常に大きな広告面を形成することでき、非常に興趣あるものにすることができる。
【００５１】
上記実施の形態の広告掲示具５１は、基板５２と広告表示部（ポスター）２０を別体で構成し、基板５２の上下に接続部材１６を介して広告表示部（ポスター）２０を取り付けた。しかし、図１３に示すように、基板６２と広告表示部（ポスター）７０を上端（又は下端）で連接させるようにして一枚でシートで構成して広告掲示具６１を形成しても構わない。係る場合、基板６２と広告表示部（ポスター）７０は、コート紙等の同一素材で形成されるので、安価に製造できる。基板６２の広告表示部７０を連続していない側の端部（下側又は上側）は、広告表示部７０を固定していないので、前記実施の形態のように、接続部材１６を取り付けた連結片６３を設けておけば良い。
【００５２】
上記広告掲示具は、広告表示部２０を厚紙等のシートで形成したが、広告表示部２０を液晶表示盤で構成しても構わない。また、広告表示部２０を構成する厚紙等のシートに液晶表示盤を取り付けても良い。液晶表示盤と基板１２との間に空間が形成されているので、液晶表示盤の発生する熱を逃がすことができる。
【産業上の利用可能性】
【００５３】
本願発明は、電車、バス等の車内広告に利用可能である。
【符号の説明】
【００５４】
１  車両本体
２  上部湾曲部
３  広告スペース
５  広告物挟持バンド
６  広告物係止具
１１  広告掲示具
１２  基板
１２ａ  上縁
１２ｂ  下縁
１２ｃ  表面
１２ｄ  裏面
１３  連結片
１３ａ  表面
１４  連結片
１４ａ  表面
１６  接続部材（面ファスナー）
１８  印刷面（表面）
２０  広告表示部（ポスター）
２１  印刷面（表面）
２２  裏面
２４  面ファスナー
２５  透孔（開き窓）
３１  広告掲示具
３２  基板
３３  連結片
４０  広告表示部（ポスター）
５１  広告掲示具
５２  基板
５２ａ  上縁
５２ｂ  下縁
５２ｃ  表面
５２ｄ  裏面
５３  連結片
５３ａ  表面
５４  連結片
５４ａ  表面
６１  広告掲示具
６２  基板
６３  連結片
７０  広告表示部（ポスター）
【図１】
2015099250.tif 000003
【図２】
2015099250.tif 000004
【図３】
2015099250.tif 000005
【図４】
2015099250.tif 000006
【図５】
2015099250.tif 000007
【図６】
2015099250.tif 000008
【図７】
2015099250.tif 000009
【図８】
2015099250.tif 000010
【図９】
2015099250.tif 000011
【図１０】
2015099250.tif 000012
【図１１】
2015099250.tif 000013
【図１２】
2015099250.tif 000014
【図１３】
2015099250.tif 000015
【図１４】
2015099250.tif 000016